【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
複数の電線と、
前記複数の電線を結束する結束部と、
を備え、
前記結束部に結束された箇所において、前記複数の電線は、太物電線と、前記複数の電線の延在方向に直交する面内で前記太物電線よりも外周側に位置する細物電線と、を有する、電線構造。
【請求項２】
太物電線を支持する第１支持部と、
前記第１支持部と一体的に設けられ、前記太物電線と同一の延在方向に沿って配される細物電線を、前記延在方向に直交する面内で前記太物電線よりも外周側で支持する第２支持部と、
を備える治具。
【請求項３】
請求項２に記載の治具であって、
前記第１支持部は、Ｕ字状で且つその内部に前記太物電線を支持する第１部分を有し、
前記第２支持部は、前記第１部分の周囲に設けられた前記第１部分よりも大きいＵ字状で且つ前記第１部分との間で前記細物電線を支持する第２部分を有する、治具。
【請求項４】
請求項３に記載の治具であって、
前記第１部分は、Ｕ字状の底辺に相当する基部からＵ字状の２つの先端部に向けて徐々に立ち上がる２つの移行部を有する、治具。
【請求項５】
請求項４に記載の治具であって、
前記２つの移行部のうち前記第２部分側の外面は平坦な傾斜面である、治具。
【請求項６】
請求項２から請求項５までのいずれか１項に記載の治具と、
前記治具に並設されて、前記第１支持部に支持された前記太物電線を支持する補助治具と、
を備える治具セット。
【請求項７】
太物電線と細物電線とを束ねて有する電線構造を製造する方法であって、
請求項２から請求項５までのいずれか１項に記載の治具または請求項６に記載の治具セットのうち、前記第１支持部に太物電線を支持させ、前記第２支持部に細物電線を支持させる支持工程と、
前記第１支持部に支持された前記太物電線および前記第２支持部に支持された前記細物電線を、前記治具の隣りで結束する結束工程と、
結束された前記太物電線および前記細物電線を前記治具から取り外す取外し工程と、
を備える電線構造の製造方法。
【手続補正２】
【補正対象書類名】明細書
【補正対象項目名】００１３
【補正方法】変更
【補正の内容】
【００１３】
第６の態様に係る治具セットは、第２から第５までのいずれか１つの態様に係る治具と、前記治具に並設されて、前記第１支持部に支持された前記太物電線を支持する補助治具と、を備える。
【手続補正３】
【補正対象書類名】明細書
【補正対象項目名】００１６
【補正方法】変更
【補正の内容】
【００１６】
第２〜第５の態様によると、治具を用いることで、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが抑制される。
【手続補正４】
【補正対象書類名】明細書
【補正対象項目名】００１７
【補正方法】変更
【補正の内容】
【００１７】
第３の態様によると、治具を用いることで、太物電線と、延在方向に直交する面内で太物電線よりも外周側に位置する細物電線と、を有する電線構造を特に容易に製造することができる。この電線構造では、太物電線が外周側に配されることに起因して細物電線に大きな力が加わることが抑制される。
【手続補正５】
【補正対象書類名】明細書
【補正対象項目名】００２０
【補正方法】変更
【補正の内容】
【００２０】
第６の態様によると、補助治具を用いることで太物電線を安定した姿勢で支持することができ、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが有効に抑制される。
【手続補正６】
【補正対象書類名】明細書
【補正対象項目名】００２１
【補正方法】変更
【補正の内容】
【００２１】
第７の態様によると、治具または治具セットを用いることで、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが抑制される。
【手続補正７】
【補正対象書類名】明細書
【補正対象項目名】００２２
【補正方法】変更
【補正の内容】
【００２２】
【図１】本実施形態に係る電線構造を示す概略断面図である。
【図２】比較例に係る電線構造を示す概略断面図である。
【図３】製造支援装置を示す概略斜視図である。
【図４】第１治具を示す概略側面図である。
【図５】第２治具を示す概略側面図である。
【図６】第１支持部が太物電線を支持し、第２支持部が細物電線を支持する様子を示した概略断面図である。
【図７】第３治具を示す概略側面図である。
【図８】変形例にかかる第２治具を示す概略側面図である。
【図９】変形例にかかる第２治具を示す概略側面図である。
【手続補正８】
【補正対象書類名】明細書
【補正対象項目名】００４１
【補正方法】変更
【補正の内容】
【００４１】
治具３０は、第１治具３１と、第２治具３２と、第３治具３３とを有する。なお、図示の例では、１０個の第１治具３１と２個の第２治具３２と１個の第３治具３３とが描かれているが、各治具の個数および配置は適宜に変更可能である。
【手続補正９】
【補正対象書類名】明細書
【補正対象項目名】００４３
【補正方法】変更
【補正の内容】
【００４３】
図４は、第１治具３１を示す概略側面図である。図４に示すように、第１治具３１は、棒状部３１０と、棒状部３１０の上に設けられたＵ字状部３１１と、を有する。よって、作業者が電線９０をＵ字状部３１１に配設することで、該電線９０を図板２０上の一定位置に保持することができる。なお、第１治具３１としては、上記構成の他、フォーク状のもの、コネクタを嵌め込んで保持可能な構成等を用いてもよい。
【手続補正１０】
【補正対象書類名】明細書
【補正対象項目名】００４４
【補正方法】変更
【補正の内容】
【００４４】
図５は、第２治具３２を示す概略側面図である。図５に示すように、第２治具３２は、太物電線９１を支持する第１支持部３２５と、第１支持部３２５と一体に設けられ、細物電線９２を支持する第２支持部３２６と、を有する。
【手続補正１１】
【補正対象書類名】明細書
【補正対象項目名】００４５
【補正方法】変更
【補正の内容】
【００４５】
第１支持部３２５は、棒状部３２０と、棒状部３２０の上に設けられたＵ字状部３２１と、を有する支持部であり、第１治具３１を小型化した部材である。Ｕ字状部３２１は、Ｕ字状で且つその内部に太物電線９１を支持する第１部分として機能する。
【手続補正１２】
【補正対象書類名】明細書
【補正対象項目名】００４６
【補正方法】変更
【補正の内容】
【００４６】
第２支持部３２６は、棒状部３２２と、棒状部３２２の上に設けられたＵ字状部３２３と、を有する支持部であり、第１治具３１と略同一形状の部材である。Ｕ字状部３２３は、Ｕ字状部３２１の周囲に設けられたＵ字状部３２１よりも大きいＵ字状で且つＵ字状部３２１との間で細物電線９２を支持する第２部分として機能する。
【手続補正１３】
【補正対象書類名】明細書
【補正対象項目名】００４８
【補正方法】変更
【補正の内容】
【００４８】
図６に示すように、第２治具３２では、第１支持部３２５が、延在方向（図示の紙面に直交する方向）に沿って配される各電線９０のうち太物電線９１を支持する。また、第２支持部３２６が、該延在方向に沿って配される各電線９０のうち細物電線９２を該延在方向に直交する面（図示紙面に平行な面）内で太物電線９１よりも外周側で支持する。
【手続補正１４】
【補正対象書類名】明細書
【補正対象項目名】００５０
【補正方法】変更
【補正の内容】
【００５０】
第２治具３２では、Ｕ字状部３２１の基部３２１ａよりも上記面内で下方側にＵ字状部３２３の基部３２３ａが位置する。また、Ｕ字状部３２１の２つの移行部３２１ｃよりも上記面内で左右両側かつ下方側にＵ字状部３２３の２つの移行部３２３ｃが位置する。Ｕ字状部３２１の２つの支持棒部３２１ｄよりも上記面内で左右両側にＵ字状部３２３の２つの支持棒部３２３ｄが位置する。よって、図６に示すように、隣り合う基部３２１ａ，３２３ａの間、隣り合う移行部３２１ｃ，３２３ｃの間、および隣り合う支持棒部３２１ｄ，３２３ｄの間のそれぞれに、細物電線９２を配置することができる。
【手続補正１５】
【補正対象書類名】明細書
【補正対象項目名】００５２
【補正方法】変更
【補正の内容】
【００５２】
このような構成となっているため、第２治具３２は、上記面内において太物電線９１の外周側の全周に細物電線９２を配置した状態を維持することができる。
【手続補正１６】
【補正対象書類名】明細書
【補正対象項目名】００５３
【補正方法】変更
【補正の内容】
【００５３】
図７は、第３治具３３を示す概略側面図である。図７に示すように、第３治具３３は、棒状部３３０と、棒状部３３０の上に設けられたＵ字状部３３１と、を有する。第３治具３３のＵ字状部３３１は、第２治具３２のＵ字状部３２１と略同一の形状であり、Ｕ字状の内部に太物電線９１を支持する部分である。
【手続補正１７】
【補正対象書類名】明細書
【補正対象項目名】００５４
【補正方法】変更
【補正の内容】
【００５４】
また、図３に示すように、第３治具３３は第２治具３２に並設される。このように、第３治具３３は、該第２治具３２の第１支持部３２５が支持する太物電線９１を支持する補助治具として機能する。このように、第２治具３２（図３の例では図示右側の第２治具３２）と第３治具３３との治具セットでは、補助治具としての第３治具３３を用いることで太物電線９１を安定した姿勢で支持することができる。
【手続補正１８】
【補正対象書類名】明細書
【補正対象項目名】００５５
【補正方法】変更
【補正の内容】
【００５５】
電線構造９を製造する際には、まず、作業者は、複数の電線９０を各治具３０に支持させて図板２０上に布線する。この際、作業者は、第１支持部３２５に太物電線９１を支持させ第２支持部３２６に細物電線９２を支持させる（支持工程）。これにより、第２治具３２に支持された部分では、図６に示すように、太物電線９１の外周側に細物電線９２が支持された状態を維持することができる。
【手続補正１９】
【補正対象書類名】明細書
【補正対象項目名】００５６
【補正方法】変更
【補正の内容】
【００５６】
その後、作業者は、上記状態を維持しつつ、図板２０上に布線された各電線９０の所定箇所を上記した結束部９３を用いて結束する。この際、作業者は、第１支持部３２５に支持された太物電線９１および第２支持部３２６に支持された細物電線９２を第２治具３２の少なくとも一方側の隣りで結束する（結束工程）。この結束工程では、複数の電線９０の延在方向に沿って第２治具３２の一方側の隣りで太物電線９１および細物電線９２が結束されてもよいし、第２治具３２の両側の隣りで太物電線９１および細物電線９２が結束されてもよい。
【手続補正２０】
【補正対象書類名】明細書
【補正対象項目名】００５７
【補正方法】変更
【補正の内容】
【００５７】
最後に、作業者は、結束された各複数の電線９０を各治具３０から取り外す。この際、作業者は、太物電線９１および細物電線９２を第２治具３２から取り外す（取外し工程）。取外し工程では、作業者は、結束部９３により一体となった太物電線９１および細物電線９２を第２治具３２の上方開口よりも上側に持ち上げて、これらを第２治具３２から取り外す。その結果、図１に示した電線構造９が得られる。
【手続補正２１】
【補正対象書類名】明細書
【補正対象項目名】００５８
【補正方法】変更
【補正の内容】
【００５８】
なお、この取外し工程では、作業者が複数の電線９０をそのまま上側に持ち上げたとしても、基部３２１ａと基部３２３ａとの間に配される細物電線９２が基部３２１ａの下面に引っ掛かる場合がある。この場合、作業者は基部３２１ａと基部３２３ａとの間に配される細物電線９２を上記した上方開口に向けて左右両側に移動させつつ持ち上げることで、これらを第２治具３２から取り外すことができる。このように、結束部９３によって複数の電線９０が結束された状態であっても、作業者が各電線９０を多少ばらつかせて移動させることが可能である。
【手続補正２２】
【補正対象書類名】明細書
【補正対象項目名】００５９
【補正方法】変更
【補正の内容】
【００５９】
本実施形態では、延在方向に直交する面内で太物電線９１の外周側に細物電線９２を位置決めする第２治具３２を用いることで、太物電線９１と太物電線９１よりも外周側に位置する細物電線９２とを有する電線構造９を容易に製造することができる。この電線構造９では、太物電線９１が外周側に配されることに起因して細物電線９２に大きな力が加わることが抑制される。
【手続補正２３】
【補正対象書類名】明細書
【補正対象項目名】００６４
【補正方法】変更
【補正の内容】
【００６４】
こうして製造された電線構造９は、自動車用のワイヤーハーネスとして利用される。特に、電線構造９のうち製造過程で２つの第２治具３２の間に配された部分では、上記のように細物電線９２に大きな力が加わることが抑制される。よって、電線構造９を車両に配索する際には、上記部分で電線構造９を屈曲して配索する態様、または上記部分を振動の多い箇所（例えば、車両においてエンジンに直結する箇所）に配索する態様が考えられる。これにより、電線構造９を構成する全体のうち特に細物電線に大きな力が加わりやすい屈曲箇所や振動箇所について、太物電線９１と細物電線９２との配置関係によって上記大きな力を緩和することができる。
【手続補正２４】
【補正対象書類名】明細書
【補正対象項目名】００６６
【補正方法】変更
【補正の内容】
【００６６】
まず、図８を参照して、第２治具についての変形例を説明する。図８は、第２治具３２Ａを示す概略側面図である。
【手続補正２５】
【補正対象書類名】明細書
【補正対象項目名】００６７
【補正方法】変更
【補正の内容】
【００６７】
図８に示す変形例では、第２治具３２Ａが第１支持部３２５Ａと第２支持部３２６とを有する。ここで、第１支持部３２５Ａは、棒状部３２０と、該棒状部３２０の上に設けられたＵ字状部３２１Ａとを有する。
【手続補正２６】
【補正対象書類名】明細書
【補正対象項目名】００７１
【補正方法】変更
【補正の内容】
【００７１】
次に図９を参照して、第２治具についての他の変形例を説明する。図９は、第２治具３２Ｂを示す概略側面図である。
【手続補正２７】
【補正対象書類名】明細書
【補正対象項目名】００７２
【補正方法】変更
【補正の内容】
【００７２】
図９に示す変形例では、第２治具３２Ｂが、棒状部３２１Ｂと、棒状部３２１Ｂの上に設けられ棒状部３２１Ｂと直交する方向に伸びる基部３２２Ｂと、基部３２２Ｂの延在方向に沿って間隔をあけて該基部３２２Ｂから上向きに伸びる４本の支持棒部３２３Ｂと、を有する。すなわち、第２治具３２Ｂは、隣り合う支持棒部３２３Ｂの間（本変形例では３箇所）に電線９０を支持可能なフォーク状の部材である。
【手続補正２８】
【補正対象書類名】明細書
【補正対象項目名】００７３
【補正方法】変更
【補正の内容】
【００７３】
本変形例に係る第２治具３２Ｂでは、中央側に位置する２つの支持棒部３２３Ｂがそれらの間に太物電線９１を支持する第１支持部として機能する。また、中央側に位置する支持棒部３２３Ｂおよび外側に位置する支持棒部３２３Ｂは、第１支持部と一体的に設けられ太物電線９１よりも外周側で細物電線９２を支持する第２支持部として機能する。
【手続補正２９】
【補正対象書類名】明細書
【補正対象項目名】００７４
【補正方法】変更
【補正の内容】
【００７４】
これにより、第２治具３２Ｂは、太物電線９１の外周側の両側方に細物電線９２を配置した状態を維持することができる。この第２治具３２Ｂでは、上記実施形態の第２治具３２とは異なり、第１支持部の下方に細物電線９２が配されることがない。よって、作業者が第２治具３２Ｂに支持される複数の電線９０をそのまま上側に持ち上げたとしても、細物電線９２の一部が第１支持部に引っ掛かるという事態は生じない。
【手続補正３０】
【補正対象書類名】明細書
【補正対象項目名】００７５
【補正方法】変更
【補正の内容】
【００７５】
また、さらに異なる変形例として、４本の支持棒部３２３Ｂのうち内側に位置する２本の支持棒部３２３Ｂの上端が、外側に位置する２本の支持棒部３２３Ｂの上端よりも低くても構わない。この場合、第２治具３２Ｂが、太物電線９１の外周側の両側方および上方に細物電線９２を配置した状態を維持することができる。
【手続補正３１】
【補正対象書類名】明細書
【補正対象項目名】００７９
【補正方法】変更
【補正の内容】
【００７９】
９，９Ａ  電線構造
９１  太物電線
９２  細物電線
１０  製造支援装置
２０  図板
３０  治具
３１  第１治具
３２，３２Ａ，３２Ｂ  第２治具
３２１，３２１Ａ，３２３  Ｕ字状部
３３  第３治具